(57)【要約】【解決手段】剃刀ヘッド２をホルダ７に対し回動可能に支持する両回動支持部６においては、剃刀ヘッド２に付与される操作力により剃刀ヘッド２を中立位置Ｐから首振位置に弾性力に抗して回動させるとともに、弾性力により剃刀ヘッド２を首振位置から中立位置Ｐに回動させる場合に、剃刀ヘッド２の腕部８の穴部１２にホルダ７の腕部１０の軸部１１を回動可能に嵌合させるばかりでなく、穴部１２の内周のカム面１４と軸部１１の外周のカム面１３との相対回動により、ホルダ７の腕部１０を回動中心線６ａの方向に沿って弾性変形させて弾性力を生じさせる付勢手段もまとめられている。【効果】簡単な構造により、剃刀ヘッド２をホルダ７に対し首振り可能に支持するとともに、付勢手段を簡単な構造で容易に設けることができる。【選択図】図３
2017086606.tif 000002
【特許請求の範囲】
【請求項１】
刃体を有する剃刀ヘッドと、刃体の刃先の延設方向の両側で回動支持部により剃刀ヘッドを支持するホルダとを備え、この両回動支持部においては、剃刀ヘッドとホルダとのうち一方に設けた支点部と他方に設けた支点部とを互いに嵌合させて剃刀ヘッドをホルダに対し回動可能に支持し、剃刀ヘッドに付与される外力により剃刀ヘッドを中立位置から首振位置に弾性力に抗して回動させるとともに、弾性力により剃刀ヘッドを首振位置から中立位置に回動させることを特徴とする首振り式剃刀の支持構造。
【請求項２】
前記両回動支持部において、剃刀ヘッドとホルダとのうち一方に設けた支点部と他方に設けた支点部とのうち少なくとも片方の支点部は、腕部に設けられていることを特徴とする請求項１に記載の首振り式剃刀の支持構造。
【請求項３】
前記両回動支持部において、互いに嵌合する両支点部のうち一方の支点部の内側と他方の支点部の外側とにカム面を相対回動可能に設け、そのカム面の相対回動により腕部が回動支持部の回動中心線の方向に沿って弾性変形して弾性力を生じることを特徴とする請求項２に記載の首振り式剃刀の支持構造。
【請求項４】
前記両回動支持部において、剃刀ヘッドとホルダとのうち、一方に設けた支点部は穴部であり、他方に設けた支点部は軸部であることを特徴とする請求項３に記載の首振り式剃刀の支持構造。
【請求項５】
前記両回動支持部において、剃刀ヘッドとホルダとに腕部が設けられ、ホルダの腕部が弾性力を生じ、そのホルダの腕部に軸部が設けられているとともに、剃刀ヘッドの腕部に穴部が設けられていることを特徴とする請求項４に記載の首振り式剃刀の支持構造。
【請求項６】
前記両回動支持部において、その回動中心線の方向で相対向する穴部のカム面の相対向側端部と軸部のカム面の相対向側端部とに設けた摺接面のうち少なくとも一方は、軸部側から穴部側へ向かうに従い回動中心線に対し接近するように傾斜していることを特徴とする請求項４または請求項５に記載の首振り式剃刀の支持構造。
【請求項７】
前記両回動支持部において、穴部のカム面の摺接面は回動支持部の回動中心線に対する距離が同一であり、軸部のカム面の摺接面は回動支持部の回動中心線に対する距離が異なるように変化することを特徴とする請求項６に記載の首振り式剃刀の支持構造。
【請求項８】
前記両回動支持部において、穴部のカム面の摺接面は回動支持部の回動中心線を中心とする円形状をなし、軸部のカム面の摺接面は回動支持部の回動中心線を中心とする半径が異なるように変化する環状をなすことを特徴とする請求項７に記載の首振り式剃刀の支持構造。
【発明の詳細な説明】
【技術分野】
【０００１】
本発明は首振り式剃刀において剃刀ヘッドをホルダに対し首振り可能に支持する支持構造に関するものである。
【背景技術】
【０００２】
下記の特許文献１においては、刃体を有する剃刀ヘッドと、刃体の刃先の延設方向の両側で回動支持部（下記の公報における図１，２中の支持腕部７及び回動支点部８）により剃刀ヘッドを支持するホルダとを備え、この両回動支持部間には付勢手段（下記の公報における図１，２中の弾性板部１１及び押圧板部１５）を備えている。この付勢手段は、剃刀ヘッドに付与される外力により剃刀ヘッドを中立位置から首振位置に弾性力に抗して回動させるとともに、弾性力により剃刀ヘッドを首振位置から中立位置に回動させる。
【先行技術文献】
【特許文献】
【０００３】
【特許文献１】特開２０１１−１５２３４５号公報
【発明の概要】
【発明が解決しようとする課題】
【０００４】
上記の特許文献１では、前記両回動支持部間でそれらの回動支持部に対し別構造をなす前記付勢手段をそれらの回動支持部以外の位置に設けているので、ホルダに対する剃刀ヘッドの支持構造が複雑になっていた。
【０００５】
この発明は首振り式剃刀においてホルダに対する剃刀ヘッドの支持構造を簡略化することを目的としている。
【課題を解決するための手段】
【０００６】
後記実施形態の図面（図１〜４）の符号を援用して本発明を説明する。
請求項１の発明にかかる首振り式剃刀（１）の支持構造は、刃体（３）を有する剃刀ヘッド（２）と、刃体（３）の刃先（３ａ）の延設方向（Ｙ）の両側で回動支持部（６）により剃刀ヘッド（２）を支持するホルダ（７）とを備えている。この両回動支持部（６）においては、剃刀ヘッド（２）とホルダ（７）とのうち一方に設けた支点部（１２）と他方に設けた支点部（１１）とを互いに嵌合させて剃刀ヘッド（２）をホルダ（７）に対し回動可能に支持し、剃刀ヘッド（２）に付与される外力により剃刀ヘッド（２）を中立位置（Ｐ）から首振位置（Ｑ）に弾性力に抗して回動させるとともに、弾性力により剃刀ヘッド（２）を首振位置（Ｑ）から中立位置（Ｐ）に回動させる。
【０００７】
請求項１の発明では、両回動支持部（６）に支点部（１２，１１）ばかりでなく弾性力を生じさせる付勢手段もその支点部（１２，１１）と同じ構造内でまとめられているので、簡単な構造により、剃刀ヘッド（２）をホルダ（７）に対し首振り可能に支持することができる。
【０００８】
請求項１の発明を前提とする請求項２の発明にかかる両回動支持部（６）において、剃刀ヘッド（２）とホルダ（７）とのうち一方に設けた支点部（１２）と他方に設けた支点部（１１）とのうち少なくとも片方の支点部（１２，１１）は、腕部（８，１０）に設けられている。請求項２の発明では、腕部（８，１０）に支点部（１２，１１）を簡単な構造で容易に設けることができる。
【０００９】
請求項２の発明を前提とする請求項３の発明にかかる両回動支持部（６）において、互いに嵌合する両支点部（１２，１１）のうち一方の支点部（１２）の内側と他方の支点部（１１）の外側とにカム面（１４，１３）を相対回動可能に設け、そのカム面（１４，１３）の相対回動により腕部（１０）が回動支持部（６）の回動中心線（６ａ）の方向に沿う曲線運動または直線運動により弾性変形して弾性力を生じる。請求項３の発明では、支点部（１２，１１）に設けたカム面（１４，１３）により腕部（１０）に弾性力を生じさせているので、付勢手段を簡単な構造で容易に設けることができる。
【００１０】
請求項３の発明を前提とする請求項４の発明にかかる両回動支持部（６）において、剃刀ヘッド（２）とホルダ（７）とのうち、一方に設けた支点部は穴部（１２）であり、他方に設けた支点部は軸部（１１）である。請求項４の発明では、互いに嵌合する穴部（１２）と軸部（１１）とにより支点部を簡単な構造で容易に設けることができる。
【００１１】
請求項４の発明を前提とする請求項５の発明にかかる両回動支持部（６）において、剃刀ヘッド（２）とホルダ（７）とに腕部（８，１０）が設けられ、ホルダ（７）の腕部（１０）が弾性力を生じ、そのホルダ（７）の腕部（１０）に軸部（１１）が設けられているとともに、剃刀ヘッド（２）の腕部（８）に穴部（１２）が設けられている。請求項５の発明では、支点部（１２，１１）や弾性力を生じさせる付勢手段を簡単な構造で容易に設けることができる。
【００１２】
請求項４または請求項５の発明を前提とする請求項６の発明にかかる両回動支持部（６）において、その回動中心線（６ａ）の方向で相対向する穴部（１２）のカム面（１４）の相対向側端部と軸部（１１）のカム面（１３）の相対向側端部とに設けた摺接面（１４ａ，１３ａ）のうち少なくとも一方（１３ａ）は、軸部（１１）側から穴部（１２）側へ向かうに従い回動中心線（６ａ）に対し接近するように傾斜している。請求項６の発明では、穴部（１２）に軸部（１１）を容易に嵌合させることができる。
【００１３】
請求項６の発明を前提とする請求項７の発明にかかる両回動支持部（６）において、穴部（１２）のカム面（１４）の摺接面（１４ａ）は回動支持部（６）の回動中心線（６ａ）に対する距離が同一であり、軸部（１１）のカム面（１３）の摺接面（１３ａ）は回動支持部（６）の回動中心線（６ａ）に対する距離が異なるように変化する。また、請求項７の発明を前提とする請求項８の発明にかかる両回動支持部（６）において、穴部（１２）のカム面（１４）の摺接面（１４ａ）は回動支持部（６）の回動中心線（６ａ）を中心とする円形状をなし、軸部（１１）のカム面（１３）の摺接面（１３ａ）は回動支持部（６）の回動中心線（６ａ）を中心とする半径が異なるように変化する環状をなす。請求項７または請求項８の発明では、穴部（１２）のカム面（１４）及び軸部（１１）のカム面（１３）を簡単な構造で容易に設けることができる。
【００１４】
次に、請求項以外の技術的思想について実施形態の図面の符号を援用して説明する。
請求項５の発明を前提とする第９の発明にかかる両回動支持部（６）において、ホルダ（７）の両腕部（１０）は剃刀ヘッド（２）の両腕部（８）間に配設されている。第９の発明では、剃刀ヘッド（２）の両腕部（８）間でホルダ（７）の両腕部（１０）に互いに離間する向きへ弾性を持たせて穴部（１２）に軸部（１１）を容易に嵌合させることができる。
【００１５】
請求項８の発明を前提とする第１０の発明にかかる両回動支持部（６）の軸部（１１）において、カム面（１３）の摺接面（１３ａ）は回動支持部（６）の回動中心線（６ａ）が通る頂部（１５）からその回動中心線（６ａ）の周辺で環状に広がる。第１０の発明では、軸部（１１）のカム面（１３）の摺接面（１３ａ）を容易に設けることができる。
【００１６】
請求項４〜８のうちいずれか一つの請求項の発明、または第９の発明または第１０の発明を前提とする第１１の発明において、腕部（１０）が回動支持部（６）の回動中心線（６ａ）の方向に沿って弾性変形して穴部（１２）と軸部（１１）とを互いに着脱させる。第１１の発明では、ホルダ（７）に対する剃刀ヘッド（２）の組付けやホルダ（７）からの剃刀ヘッド（２）の分離を容易に行うことができる。
【発明の効果】
【００１７】
本発明は首振り式剃刀（１）においてホルダ（７）に対する剃刀ヘッド（２）の支持構造を簡略化することができる。
【図面の簡単な説明】
【００１８】
【図１】（ａ）は首振り式剃刀を示す組付斜視図であり、（ｂ）は同じく分解斜視図である。
【図２】（ａ）は図１の首振り式剃刀を示す一部切欠き分解側面図であり、（ｂ）は同じく一部切欠き分解背面図である。
【図３】（ａ）は図１の首振り式剃刀において剃刀ヘッドの中立位置を示す部分拡大側面図であり、（ｂ）は同じく部分拡大背面図であり、（ｃ）は剃刀ヘッドとホルダとの間の回動支持部を示す（ａ）のＡ−Ａ線部分拡大断面図である。
【図４】（ａ）は図１の首振り式剃刀において剃刀ヘッドの首振位置を示す部分拡大側面図であり、（ｂ）は同じく部分拡大背面図であり、（ｃ）は剃刀ヘッドとホルダとの間の回動支持部を示す（ａ）のＢ−Ｂ線部分拡大断面図である。
【発明を実施するための形態】
【００１９】
以下、本発明の一実施形態にかかる首振り式剃刀ついて図面を参照して説明する。
図１に示すように、剃刀１は、複数の刃体３を刃台４と天板５との間に組み付けた剃刀ヘッド２と、刃体３の刃先３ａの延設方向Ｙ（左右方向）の両側で回動支持部６により剃刀ヘッド２を支持するホルダ７とを備えている。
【００２０】
図２，３に示すように、剃刀ヘッド２の刃台４の左右両側に腕部８がホルダ７の頭部９に向けて形成されているとともに、ホルダ７の頭部９の左右両側に腕部１０が剃刀ヘッド２の刃台４に向けて形成され、ホルダ７の両腕部１０が剃刀ヘッド２の両腕部８間に配設されている。ホルダ７の両腕部１０は回動支持部６の回動中心線６ａの方向に沿って互いに接近する向きへ弾性変形して互いに離間する向きへ弾性力を生じる。両回動支持部６においては、ホルダ７の腕部１０に支点部としての軸部１１が剃刀ヘッド２の腕部８に向けて形成されているとともに、剃刀ヘッド２の腕部８に支点部としての穴部１２が軸部１１に対向して形成され、腕部１０の弾性力により軸部１１が穴部１２に嵌合されて剃刀ヘッド２がホルダ７に対し回動可能に支持されている。
【００２１】
軸部１１の外周（外側）にはカム面１３が形成されているとともに、穴部１２の内周（内側）にはカム面１４が形成され、それらのカム面１３，１４が相対回動可能に嵌合されている。軸部１１のカム面１３と穴部１２のカム面１４とにおいて回動支持部６の回動中心線６ａの方向で相対向する相対向側端部には摺接面１３ａ，１４ａが形成されている。
【００２２】
穴部１２のカム面１４及びその摺接面１４ａは、回動支持部６の回動中心線６ａを中心とする半径（回動中心線６ａに対する距離）が同一の円形状をなしている。
軸部１１のカム面１３及びその摺接面１３ａは、回動支持部６の回動中心線６ａが通る頂部１５から楕円環状の基端縁部１６にわたりその回動中心線６ａの周辺で環状に広がる凸状湾曲面になっている。基端縁部１６においては、その回動中心線６ａを中心とする半径が最大となる一対の長径基端縁部１６ａと最小となる一対の短径基端縁部１６ｂとが９０度間隔で互いに連続して楕円環状に形成されて、回動中心線６ａを中心とするカム面１３及びその摺接面１３ａの半径（回動中心線６ａに対する距離）が異なるように変化している。すなわち、一対の長径基端縁部１６ａと頂部１５との間のカム面１３及びその摺接面１３ａにおいて回動中心線６ａを中心とする半径は、一対の短径基端縁部１６ｂと頂部１５との間のカム面１３及びその摺接面１３ａにおいて回動中心線６ａを中心とする半径よりも大きくなり、それらのカム面１３及びその摺接面１３ａはホルダ７の腕部１０及びその軸部１１側から剃刀ヘッド２の腕部８及びその穴部１２側へ向かうに従い回動中心線６ａに対し接近するように傾斜している。
【００２３】
ホルダ７の両腕部１０の弾性変形により、軸部１１と穴部１２とを互いに着脱させて、図１（ａ）に示すように剃刀ヘッド２をホルダ７に組み付けたり、図１（ｂ）に示すように剃刀ヘッド２をホルダ７から分離したりすることができる。
【００２４】
次に、剃刀を使用する場合について説明する。
図３に示すように、剃刀ヘッド２の中立位置Ｐでは、剃刀ヘッド２の両腕部８がホルダ７の両腕部１０に当接して停止する。
【００２５】
剃刀ヘッド２の中立位置Ｐで剃刀ヘッド２に操作力等の外力を付与すると、図４に示すように、穴部１２のカム面１４の摺接面１４ａが軸部１１のカム面１３の摺接面１３ａを押さえるため、ホルダ７の両腕部１０が互いに接近するように撓んで互いに離間する向きへ弾性力を生じるとともに、剃刀ヘッド２がホルダ７の両腕部１０の弾性力に抗して回動して複数の任意首振位置Ｑになる。
【００２６】
剃刀ヘッド２の首振位置Ｑで剃刀ヘッド２に対する操作力等の外力を除くと、ホルダ７の両腕部１０の弾性力により、軸部１１のカム面１３の摺接面１３ａが穴部１２のカム面１４の摺接面１４ａを押さえるため、剃刀ヘッド２が首振位置Ｑから回動して図３に示す中立位置Ｐになる。
【００２７】
本実施形態は下記の効果を有する。
（１）  剃刀ヘッド２をホルダ７に対し回動可能に支持する両回動支持部６においては、剃刀ヘッド２の腕部８の穴部１２にホルダ７の腕部１０の軸部１１を回動可能に嵌合させるばかりでなく、弾性力を生じさせる付勢手段もまとめられているので、簡単な構造により、剃刀ヘッド２をホルダ７に対し首振り可能に支持することができる。従って、首振り式剃刀１においてホルダ７に対する剃刀ヘッド２の支持構造を簡略化することができる。
【００２８】
（２）  剃刀ヘッド２をホルダ７に対し回動可能に支持する両回動支持部６においては、穴部１２の内周のカム面１４と軸部１１の外周のカム面１３との相対回動により、ホルダ７の腕部１０を回動中心線６ａの方向に沿って互いに接近する向きへ弾性変形させて互いに離間する向きへ弾性力を生じさせているので、付勢手段を簡単な構造で容易に設けることができる。
【００２９】
前記実施形態以外にも例えば下記のように構成してもよい。
・  両回動支持部６において、剃刀ヘッド２の腕部８には穴部１２に代えて軸部を形成するとともにホルダ７の腕部１０には軸部１１に代えて穴部を形成し、その軸部を穴部に嵌合させてもよい。
【００３０】
・  両回動支持部６においては、ホルダ７の腕部１０の弾性に代えて剃刀ヘッド２の腕部８に弾性を持たせたり、ホルダ７の腕部１０の弾性ばかりでなく剃刀ヘッド２の腕部８にも弾性を持たせたりしてもよい。
【００３１】
・  両回動支持部６においては、ホルダ７にのみ腕部１０を形成したり剃刀ヘッド２にのみ腕部８を形成したりしてもよい。
・  両回動支持部６において、剃刀ヘッド２の腕部８の穴部１２とホルダ７の腕部１０の軸部１１とにはホルダ７に対する剃刀ヘッド２の首振り角度範囲にのみカム面を形成してもよい。
【００３２】
・  剃刀ヘッド２の両腕部８をホルダ７の両腕部１０間に配設し、剃刀ヘッド２の腕部８の穴部１２にホルダ７の腕部１０の軸部１１を対向させてその軸部１１を穴部１２に回動可能に嵌合させてもよい。その場合、ホルダ７の両腕部１０は回動支持部６の回動中心線６ａの方向に沿って互いに離間する向きへ弾性変形して互いに接近する向きへ弾性力を生じる。
【００３３】
・  両回動支持部６において、ホルダ７の腕部１０の軸部１１に形成されたカム面１３については、カム機能を発揮し得る範囲であれば、基端縁部１６の形態や、頂部１５から基端縁部１６にわたり環状に広がる面の形態を種々変更することができる。また、両回動支持部６において、剃刀ヘッド２の腕部８の穴部１２に形成されたカム面１４については、カム機能を発揮し得る範囲であれば、形態をカム面１３に応じて種々変更することができる。
【００３４】
・  頭部９と把持部分とからなるホルダ７においては、頭部９の両腕部１０を把持部分と一体成形することなく、頭部９の両腕部１０を把持部分と別体成形してもよい。
・  ホルダ７の頭部９においては、軸部１１を腕部１０と一体成形することなく、軸部１１を腕部１０と別体成形してもよい。
【００３５】
・  ホルダ７の頭部９の両腕部１０については、樹脂または金属により成形することができる。
【符号の説明】
【００３６】
１…首振り式剃刀、２…剃刀ヘッド、３…刃体、３ａ…刃体の刃先、６…回動支持部、６ａ…回動中心線、７…ホルダ、８…剃刀ヘッドの腕部、１０…ホルダの腕部、１１…軸部（支点部）１２…穴部（支点部）、１３…軸部のカム面、１３ａ…カム面の摺接面、１４…穴部のカム面、１４ａ…カム面の摺接面、Ｐ…剃刀ヘッドの中立位置、Ｑ…剃刀ヘッドの首振位置、Ｙ…刃先の延設方向。
【図１】
2017086606.tif 000003
【図２】
2017086606.tif 000004
【図３】
2017086606.tif 000005
【図４】
2017086606.tif 000006